(57)【要約】      （修正有）【課題】貫通孔の少なくとも外側にデータを記録した記録領域を形成することにより、ディスク全面に光ピックアップが移動し、レンズのクリーニングを確実化する。【解決手段】クリーナー用ディスク(1)に形成された貫通孔(10)と、前記貫通孔(10)に形成されたテーパ面(10a)と、前記貫通孔(10)の外側に位置する音データの記録領域(20)と、を備え、光ピックアップ(3)が前記クリーナー用ディスク(1)の半径方向の全面にわたって移動し、レンズ(4)の完全なクリーニングを行うことができる構成である。【選択図】図４
0003136914.tif 000002
【実用新案登録請求の範囲】
【請求項１】
光ディスクと同一形状のクリーナー用ディスク(1)と、前記クリーナー用ディスク(1)に形成された貫通孔(10)と、前記貫通孔(10)に形成されたテーパ面(10a)と、前記クリーナー用ディスク(1)に記録され前記貫通孔(10)の外側に位置する可聴範囲外の周波数の音又は可聴音又は映像の何れかを記録した記録領域(20)と、を備え、
前記光ディスクを駆動するディスク装置に前記クリーナー用ディスク(1)を装填して回転することにより、前記ディスク装置の光ピックアップ(3)のレンズ(4)は前記記録領域(20)の外周縁(20a)と前記貫通孔(10)の内側のディスク記録面(21)の内周縁(21a)との間で移動し、前記貫通孔(10)を介して送られるエアによって前記光ピックアップ(3)のレンズ(4)の清掃が行われる構成としたことを特徴とするレンズクリーナー用ディスク。
【請求項２】
前記クリーナー用ディスク(1)には、前記貫通孔(10)の内側に、音又は画像の記録内側領域(30)が形成されていることを特徴とする請求項１記載のレンズクリーナー用ディスク。
【考案の詳細な説明】
【技術分野】
【０００１】
本考案は、レンズクリーナー用ディスクに関し、特に、少なくとも貫通孔の外側にデータの記録領域を形成することにより、光ピックアップのレンズが回転する貫通孔の真下を必ず通過することになり、ディスク装置の構成の型式に拘わらず光ピックアップのクリーニングを行うようにするための新規な改良に関する。
【背景技術】
【０００２】
従来、用いられていたこの種のレンズクリーナー用ディスクとしては、例えば、特許文献１に開示されている構成を図３から図５に示すことができる。
図３において符号１で示されるものは、市販のＣＤ、ブルーレイ、ＣＤ−Ｒ（ＤＶＤ−Ｒ）等のディスクと同一形状のクリーナー用ディスクであり、このクリーナー用ディスク１は各種ディスク装置（図示せず）に挿入して着脱自在に構成されていると共に、少なくとも再生又は読み出し可能で、情報の読み書き自在な録再自在な構成の場合もある。
【０００３】
前記クリーナー用ディスク１には、半径方向の周縁側に単独又は複数の貫通孔１０が形成され、各貫通孔１０は１対の場合には互いに１８０度異なる位置に形成されている。
また、この各貫通孔１０の縁には、突起物２１が形成され、この突起物２１は用いないで使用される場合が多い。
【０００４】
次に、前記クリーナー用ディスク１の前記各貫通孔１０の内側に位置して記録領域３０が形成されている。
前記記録領域３０には、最外側には人間の非可聴領域の音源のデータが記録されている場合には、このデータの再生音がディスク装置のアンプに供給され、アンプとスピーカーのサージング作用によるリフレッシュ効果を得ることができる構成である。
【０００５】
前記各貫通孔１０は図４で示されるように構成されている。すなわち、貫通孔１０の内部の側壁はテーパ面１０ａが形成され、この貫通孔１０の対向位置（図では下方）にはレンズ４を有する光ピックアップ３が前記ディスク装置のユニット２０に設けられている。なお、この貫通孔１０は、ディスク１の半径方向線上に位置するように構成されている。
【０００６】
前記貫通孔１０のレンズ４側の第１開口１０Ａの第１直径Ｄ１よりも反対側の第２開口１０Ｂの第２直径Ｄ２の方が大となり、この貫通孔１０はレンズ４側へ向けて細穴となるように漏斗状に形成されている。なお、この図４の状態ではクリーナー用ディスク１の下方に光ピックアップ３が配設されている場合を示しているが、このように水平状にディスク１をディスク装置に挿入する構成だけではなく、垂直にディスク１を挿入する構成も採用されている。
前記貫通孔１０の第２開口１０Ｂの縁部には半円筒形又は塀状をなしわずかな高さ（ディスクの挿入・取出しに障害とならない程度）の突起物２１が貫通孔１０の軸方向に沿って構成されている。
【０００７】
次に、動作について述べる。まず、音楽、映像、コンピュータ用等のディスク装置（図示せず）に、通常使用する各種ディスクの代わりにクリーナー用ディスク１を挿入すると、このクリーナー用ディスク１が高速回転するため、図４及び図５で示されるように、発生した空気流２５が直接又は突起物２１に当たって貫通孔１０内へ流れ、光ピックアップ３のレンズ４に当たり、レンズ４上のチリ等がこのレンズ４から吹き飛ばされて除去される。
また、図３の場合には、記録領域３０の再生音を用いてアンプ等のリフレッシュ作用を得ることができる。
【０００８】
【特許文献１】特開２００４−１９９７８８号公報
【考案の開示】
【考案が解決しようとする課題】
【０００９】
本考案によるレンズクリーナー用ディスクは、以上のように構成されているため、次のような課題が存在していた。従来のクリーナー用ディスクは、図３のように貫通孔１０の内側に可聴範囲外の音又は可聴音又は映像を記録した記録領域３０が形成され、この図３のクリーナー用ディスクの場合、初期動作として、ピックアップレンズがディスク読込時に、位置Ｃから位置Ｄ（位置Ｄから位置Ｃ）に移動した時に、貫通孔を通過し、位置Ｂにてデータを読込／再生している時にピックアップレンズを斜め上から空気流によってクリーニングしていた。
しかしながら、汎用のディスク装置の中には、ピックアップレンズによる初期動作が位置Ｄから位置Ｂ迄しか読込に行かない機種が存在するため、ピックアップレンズは貫通孔の真下を通過することができず、貫通孔の手前で停止するため、斜め上からのレンズクリーニングのみが行われ、１００％のレンズクリーニング動作を得ることは困難であった。
【課題を解決するための手段】
【００１０】
本考案によるレンズクリーナー用ディスクは、光ディスクと同一形状のクリーナー用ディスクと、前記クリーナー用ディスクに形成された貫通孔と、前記貫通孔に形成されたテーパ面と、前記クリーナー用ディスクに記録され前記貫通孔の外側に位置する可聴範囲外の周波数の音又は可聴音又は映像の何れかを記録した記録領域と、を備え、前記光ディスクを駆動するディスク装置に前記クリーナー用ディスクを装填して回転することにより、前記ディスク装置の光ピックアップのレンズは前記記録領域の外周縁と前記貫通孔の内側のディスク記録面の内周縁との間で移動し、前記貫通孔を介して送られるエアによって前記光ピックアップのレンズの清掃が行われる構成であり、また、前記クリーナー用ディスクには、前記貫通孔の内側に、音又は画像の記録内側領域が形成されている構成である。
【考案の効果】
【００１１】
本考案によるレンズクリーナー用ディスクは、以上のように構成されているため、次のような効果を得ることができる。
すなわち、クリーナー用ディスクの貫通孔の外側にデータの記録領域が形成されているため、ピックアップレンズの初期動作としては、如何なる機種のディスク装置においても、記録領域の外周縁とディスク記録面の内周縁との間をピックアップレンズが通過するため、回転する貫通孔の真下をピックアップレンズが通過することにより、ピックアップレンズの十分なクリーニングを達成することができる。
また、前述のクリーニング期間において、記録領域の外周部分で読込／再生を行うことにより、ピックアップレンズを斜め上からクリーニングすることができ、ＣＤ、ブルーレイ、ＣＤ−Ｒ（ＤＶＤ−Ｒ）等を使用する場合に適用できるものである。
【考案を実施するための最良の形態】
【００１２】
本考案は、少なくとも貫通孔の外側に可聴範囲外の音又は可聴音又は映像の何れかのデータを記録した記録領域を形成することにより、光ピックアップレンズが回転する貫通孔の真下を必ず通過することになり、ディスク装置の構成の型式に拘わらず光ピックアップのクリーニングを行うようにしたレンズクリーナー用ディスクを提供することを目的とする。
【実施例】
【００１３】
以下、図面と共に本考案によるレンズクリーナー用ディスクの好適な実施の形態について説明する。
尚、従来例と同一又は同等部分には同一符号を用いて説明する。
図１において符号１で示されるものは市販のＣＤ、ブルーレイ、ＣＤ−Ｒ（ＤＶＤ−Ｒ）等のディスクと同一形状のクリーナー用ディスクであり、このクリーナー用ディスク１は各種ディスク装置（図示せず）に挿入して着脱自在に構成されていると共に、少なくとも再生又は読み出し可能で、情報の読み書き自在な録再自在な構成の場合もある。
【００１４】
前記クリーナー用ディスク１には、半径方向の周縁側に単独又は複数の貫通孔１０が形成され、各貫通孔１０は１対の場合には互いに１８０度異なる位置に形成されている。
尚、前記各貫通孔１０の構造及び作用は、前述の図３、図４及び図５で開示した構成と同様であるため、その構成を援用することとし、その説明は省略する。
【００１５】
前記貫通孔１０の外側には、予め可聴範囲外の周波数の高音と低音からなる音のデータ又は可聴音又は映像の何れかが記録された記録領域２０が形成され、この記録領域２０の内側、すなわち、前記貫通孔１０の内側には、音や映像等のデータを記録するためのディスク記録面２１（実際にはデータ無記録面である）が形成されている。
【００１６】
次に、前述の構成において、前述のディスク装置に、図１のクリーナー用ディスク１を装填して回転させると、前記ディスク装置の光ピックアップレンズは前記記録領域２０の外周縁２０ａ（すなわち、位置Ｃ）と前記貫通孔１０の内側のディスク記録面２１の内周縁２１ａ（すなわち、位置Ｄ）との間で移動し、前述の図５で示される前記貫通孔１０を介して送られるエアによって前記クリーナー用ディスク１の下方で移動する光ピックアップ３のレンズ４の清掃が行われる。
【００１７】
また、前記記録領域２０の内周である位置Ｅでは、光ピックアップ３が読込／再生を行うことにより、光ピックアップ３のレンズ４に対して斜め上方からクリーニングが行われる。尚、前記記録領域２０は前述の非可聴の音が録音されている場合には、再生された前記データはアンプ及びスピーカーに送られて、アンプ及びスピーカーの周知のリフレッシュ作用を得ることができる。
【００１８】
次に、図２は本考案の他の形態を示すもので、図１と同一又は同等部分には同一符号を付し、その説明は省略すると共に、図１とは異なる部分についてのみ説明する。
すなわち、前記クリーナー用ディスク１の前記貫通孔１０の内側には、予め、可聴範囲外の周波数の音又は可聴音又は映像の何れかのデータが記録された前記記録領域２０と同様の記録内側領域３０が形成されている。
【００１９】
前述の図２の構成においては、前記貫通孔１０を挟んで前記記録領域２０の内周の位置Ｅと前記記録内側領域３０の外周の位置Ｂとの間は、データが何ら記録されていない無データ状態のディスク記録面２１が形成されている。
【００２０】
従って、前記ディスク装置に、図２のクリーナー用ディスク１を装填して回転させると、初期動作においては、どのようなディスク装置でも、光ピックアップ３は、前記記録内側領域３０の内周（すなわち、位置Ｄ）と前記記録領域２０の外周縁（すなわち、位置Ｃ）との間を往復移動することができるため、この動作により、クリーナー用ディスク１は確実に回転する状態で、貫通孔１０の下方すなわち真下を光ピックアップ３のレンズ４が通過してクリーニングが行われる。
【００２１】
また、前述の状態では、前記記録内側領域３０の外周である位置Ｂと、前記記録領域２０の内周である位置Ｅと、の２ケ所で光ピックアップ３が読込／再生を行うため、この光ピックアップ３のレンズ４に対して斜め上方からエアを供給してレンズ４のクリーニングを行うことができる。
従って、図２のクリーナー用ディスク１は、図１のクリーナー用ディスク１に対して、１回の動作で斜め上方からのエアの供給によるレンズ４のクリーニングを２回行うことができ、図１の構成に対してクリーニング効果を増加させることができる。
【図面の簡単な説明】
【００２２】
【図１】本考案によるレンズクリーナー用ディスクを示す平面図である。
【図２】図１の他の形態を示す平面図である。
【図３】従来のレンズクリーナー用ディスクを示す平面図である。
【図４】本考案と図３の貫通孔によるクリーニング状態を示す説明図である。
【図５】図４の空気流を模式的に示す説明図である。
【符号の説明】
【００２３】
１    クリーナー用ディスク
３    光ピックアップ
４    レンズ
１０    貫通孔
２０    記録領域
２０ａ    外周縁
２１    ディスク記録面
２１ａ    内周縁
３０    記録内側領域
Ｂ、Ｃ、Ｄ、Ｅ    位置
【図１】
0003136914.tif 000003
【図２】
0003136914.tif 000004
【図３】
0003136914.tif 000005
【図４】
0003136914.tif 000006
【図５】
0003136914.tif 000007